(57)【要約】【課題】HDDの故障発生予測機能を活用して、HDDに記録されているデータのバックアップをユーザに促し、情報技術に疎いユーザであっても、該データが永久に失われることを防止したハードディスク装置を提供する。【解決手段】ＭＰＵ１０５は、HDD１０４ｄが故障しやすい状況にあるか否かを取得する（ｓ１）。次に、ＭＰＵ１０５は、HDD１０４ｄが故障しやすい状況にあるか否かを判断する（ｓ２）。HDD１０４ｄが故障しやすい状況にあると判断すれば、つまり警告信号を受信すると、ＭＰＵ１０５は、HDD１０４ｄに記録されているデータのバックアップを促す表示を表示部１０８に行わせ（ｓ３）、本処理を終了する。この表示は、例えば「HDDが故障しやすい状況にあります。即、HDDに記録されているデータのバックアップをする必要があります。」である。【選択図】図２
2007213670.tif 000002
【特許請求の範囲】
【請求項１】
ドライブ装置内部の信号又は情報をモニタリングしながら、該ドライブ装置の信頼性を示す数値と予め設定された基準値とを比較して、該ドライブ装置の故障発生を予測するS.M.A.R.T.機能を有するハードディスクドライブを備えるHD 付きDVDレコーダにおいて、
前記ハードディスクドライブから故障発生を予測した旨の警告信号を受信すると、前記ハードディスクドライブに記録されているデータのバックアップを促す表示を行なう報知手段と、
光ディスクがマウントされた光ディスクドライブと、を備え、
前記報知手段は、前記表示が行なわれてから一定時間が経過するまでに、前記バックアップのための操作が行なわれたか否かを判断し、
前記報知手段は、前記一定時間が経過するまでに前記バックアップのための操作が行なわれなかった場合、前記ハードディスクドライブに記録されているデータを前記光ディスクドライブでバックアップし、さらに、該バックアップを実行した旨の表示を行うことを特徴とするハードディスク付きDVDレコーダ。
【請求項２】
ドライブ装置内部の信号又は情報をモニタリングしながら、該ドライブ装置の信頼性を示す数値と予め設定された基準値とを比較して、該ドライブ装置の故障発生を予測する故障発生予測機能を有するハードディスクドライブを備えるハードディスク装置において、
前記ハードディスクドライブから故障発生を予測した旨の警告信号を受信すると、前記ハードディスクドライブに記録されているデータのバックアップを促す表示を行なう報知手段を備えたことを特徴とするハードディスク装置。
【請求項３】
前記ハードディスクドライブとは別体に設けられた記憶手段を備え、
前記報知手段は、前記表示が行なわれてから一定時間が経過するまでに、前記バックアップのための操作が行なわれたか否かを判断し、
前記報知手段は、前記一定時間が経過するまでに前記バックアップのための操作が行なわれなかった場合、前記ハードディスクドライブに記録されているデータを前記記憶手段でバックアップすることを特徴とする請求項２に記載のハードディスク装置。
【請求項４】
前記報知手段は、前記ハードディスクドライブに記録されているデータを前記記憶手段でバックアップした場合、該バックアップを実行した旨の表示を行うことを特徴とする請求項３に記載のハードディスク装置。
【発明の詳細な説明】
【技術分野】
【０００１】
本発明は、ハードディスクドライブを備えるハードディスク装置に関し、特に、該ハードディスクドライブが故障発生予測機能を有するハードディスク装置に関するものである。
【背景技術】
【０００２】
従来より、故障発生予測機能を有するハードディスクドライブ（HDD）と、装置本体を制御する報知手段と、を備えるハードディスク（HD）装置があった。ハードディスク装置は、例えばHD 付きDVDレコーダ、又はパーソナルコンピュータである。報知手段は、例えばMPU、又は表示手段である。表示手段は、例えばテレビジョン、モニターである。
【０００３】
故障発生予測機能は、例えばS.M.A.R.T.（Self-Monitoring  Analysis  and  Reporting  Technology）機能である。故障発生予測機能は、HDD内部の信号又は情報をモニタリングしながら、HDDの信頼性を示す数値と予め設定された基準値とを比較して、故障発生を予測する機能である。HDDの信頼性を示す数値は、例えばHDの表面状況による読取エラーレートである。
【０００４】
報知手段は、一般的に、HDDが故障発生を予測したか否かを確認するための確認信号をHDDに送信し、HDDから正常信号又は警告信号を受信することによって、HDDが故障しやすい状況にあるか否かを確認する。警告信号は、HDDの故障発生を予測した旨の信号である。逆に、正常信号は、HDDが正常であることを示す旨の信号である。
この警告信号が受信される場合とは、HDDが故障しやすい状況にあることを意味する。
【０００５】
上記従来のハードディスク装置において、報知手段は、HDDから警告信号を受信すると、HDDが故障しやすい状況にあることを報知していた。この報知は、例えば「HDDが故障しやすい状況にあります。」である。
【０００６】
一方、特許文献１に記載されたようなハードディスク装置が提案されている。
このハードディスク装置は、ハードディスクの使用回数を累積的にカウントし、その使用累積回数を記憶するカウント記憶手段と、該使用累積回数と予め記憶している使用許容回数とを比較して、該使用累積回数が該使用許容回数を超えた場合にハードディスクの交換を促す表示を行う報知手段と、を備える。
ここで、使用とは、読取および記録である。
【特許文献１】特開２００３−０８５９６０公報
【発明の開示】
【発明が解決しようとする課題】
【０００７】
しかしながら、HDDの故障発生予測機能は、情報技術に疎いユーザにとって非常に難解な機能である。一般ユーザにとっても難解な機能である。情報技術に疎いユーザとは、例えば子供、又は老人である。
そのため、情報技術に疎いユーザは、HDDが故障しやすい状況にある旨の報知を受けても、一般的にその対処方法が分からない。また、HDDが故障することも想定していない。
【０００８】
よって、情報技術に疎いユーザは、その報知を無視してしまうことが多かった。従って、HDDが故障した際、該ユーザがHDDに記録したテレビ番組等のデータが永久に失われてしまうという問題があった。
逆に、情報技術に疎いユーザは、その報知に過剰反応することも多かった。ハードディスク装置を購入した販売店にクレームをいれることも多く、この点問題となっていた。
また、特許文献１では、ハードディスクの使用累積回数を指標としているが、このハードディスクの使用累積回数は、HDDが故障しやすい状況にあるか否かの遠因となる可能性はあるものの、直接の原因ではない。
【０００９】
本発明はこのような従来の課題を解決しようとするものであり、HDDの故障発生予測機能を活用して、HDDに記録されているデータのバックアップをユーザに促し、情報技術に疎いユーザであっても、該データが永久に失われることを防止したハードディスク装置を提供することを目的とする。
【課題を解決するための手段】
【００１０】
本発明のハードディスク装置は、前記課題を解決するために以下の構成を備えている。
【００１１】
（１）ドライブ装置内部の信号又は情報をモニタリングしながら、該ドライブ装置の信頼性を示す数値と予め設定された基準値とを比較して、該ドライブ装置の故障発生を予測する故障発生予測機能を有するハードディスクドライブを備えるハードディスク装置において、
前記ハードディスクドライブから故障発生を予測した旨の警告信号を受信すると、前記ハードディスクドライブに記録されているデータのバックアップを促す表示を行なう報知手段を備えたことを特徴とする。
【００１２】
この構成において、ハードディスク装置は、例えばHD 付きDVDレコーダ、又はパーソナルコンピュータである。報知手段は、例えばMPU、又は表示手段である。表示手段は、例えばテレビジョン、モニターである。
故障発生予測機能は、例えばS.M.A.R.T.（Self-Monitoring  Analysis  and  Reporting  Technology）機能である。
報知手段は、一般的に、ハードディスクドライブ（以下、「HDD」と称する）が故障発生を予測したか否かを確認するための確認信号をHDDに送信し、HDDから正常信号又は警告信号を受信することによって、HDDが故障しやすい状況にあるか否かを確認する。報知手段は、例外的に、確認信号をHDDに送信しなくとも、HDDから警告信号を受信することによって、HDDが故障していることを確認することもある。
なお、警告信号は、HDDの故障発生を予測した旨の信号である。逆に、正常信号は、HDDが正常であることを示す旨の信号である。
そして、報知手段は、HDDから警告信号を受信することによって、HDDが故障しやすい状況にあることを確認すると、HDDに記録されているデータのバックアップを促す表示を行なう。この表示は、例えば「HDDが故障しやすい状況にあります。即、HDDに記録されているデータのバックアップをする必要があります。」である。
情報技術に疎いユーザであっても、この表示を見ることで、HDDに記録されているデータのバックアップを行なう必要があることを理解することができる。
以上より、HDDに記録されているデータが永久に失われることを防止することができるという効果を奏する。
なお、上記構成に、「報知手段は、上記警告信号を受信すると、HDDの交換を促す表示を行なう」構成を追加しても良い。
【００１３】
（２）前記ハードディスクドライブとは別体に設けられた記憶手段を備え、
前記報知手段は、前記表示が行なわれてから一定時間が経過するまでに、前記バックアップのための操作が行なわれたか否かを判断し、
前記報知手段は、前記一定時間が経過するまでに前記バックアップのための操作が行なわれなかった場合、前記ハードディスクドライブに記録されているデータを前記記憶手段でバックアップすることを特徴とする。
【００１４】
この構成において、記憶手段は、HDDのデータをバックアップ可能な容量を有する記憶手段であり、例えば光ディスクがマウントされた光ディスクドライブ、HDDである。
この構成では、ユーザがバックアップを促す表示を見逃した場合を想定している。
上記（１）では、報知手段がバックアップを促す表示を行なっていたが、この構成では、報知手段が、HDDに記録されているデータのバックアップを上記記憶手段で強制的に自動実行する。
以上より、HDDに記録されているデータが永久に失われることを一層防止することができるという効果を奏する。
なお、上記構成を、「前記報知手段は、前記一定時間が経過するまでに前記バックアップのための操作が行なわれなかった場合、前記HDDのデータ量と前記記憶手段の空き容量とを確認し、バックアップ可能であれば、前記ハードディスクドライブに記録されているデータを前記記憶手段でバックアップする」に追加修正しても良い。この場合、記憶手段の空き容量を考慮してバックアップできるという効果を奏する。
【００１５】
（３）前記報知手段は、前記ハードディスクドライブに記録されているデータを前記記憶手段でバックアップした場合、該バックアップを実行した旨の表示を行うことを特徴とする。
【００１６】
この構成において、ユーザは、バックアップが強制的に実行されたことを把握することができるという効果を奏する。
【発明の効果】
【００１７】
この発明によれば、HDDに記録されているデータが永久に失われることを防止することができるという効果を奏する。
【発明を実施するための最良の形態】
【００１８】
以下、本発明の第一の実施形態であるHD付きＤＶＤレコーダについて説明する。
【００１９】
図１は、本発明の第一の実施形態であるHD付きＤＶＤレコーダの構成を示すブロック図である。
HD付きＤＶＤレコーダ１は、入力されたデータを所定の情報記憶媒体に記録し、再生指示に応じて既に記録されているデータを再生する記録再生部１０４と、録画指示に応じて記録再生部１０４への記録と記録再生部１０４からの再生と以下に説明する各部の動作とを制御するマイクロコンピュータ（ＭＰＵすなわち主制御装置）１０５と、を備える。
【００２０】
記録再生部１０４は、例えばＤＶＤ（Ｄｉｇｉｔａｌ  Ｖｅｒｓａｔｉｌｅ  Ｄｉｓｋ）規格に準拠して製造された光ディスクＤに、（放送番組等の）データの記録及び再生が可能な光ディスクドライブ１０４ａと、大容量データを記録可能なＨＤ（ハードディスク、不図示）を内蔵するＨＤＤ（ハードディスクドライブ）１０４ｄと、データプロセッサ１０４ｃと、を備える。
【００２１】
ＨＤＤ１０４ｄは、S.M.A.R.T.（Self-Monitoring  Analysis  and  Reporting  Technology）機能を有する。この機能は、HDD内部の信号又は情報をモニタリングしながら、HDDの信頼性を示す数値と予め設定された基準値とを比較して、故障発生を予測する機能である。HDDの信頼性を示す数値は、例えばHDの表面状況による読取エラーレートである。
【００２２】
データプロセッサ１０４ｃは、ＭＰＵ１０５の制御に従って、エンコーダ部１０３から出力された記録データを光ディスクドライブ１０４ａに供給したり、光ディスクＤの再生信号を光ディスクドライブ１０４ａから取り込み、デコーダ部１０６に供給したりする。
【００２３】
また、データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部に供給したりする。
さらに、データプロセッサ１０４ｃは、ＭＰＵ１０５の制御に従って、光ディスクＤ又はＨＤＤ１０４ａに記録されたデータを書替えたり、記録されたデータの削除を行う。
【００２４】
なお、光ディスクＤは、例えばＤＶＤ−Ｒ、ＤＶＤ−ＲW、又はＤＶＤ−ＲＡＭとする。
【００２５】
ＡＶ入力端子１０１は、記録対象である映像信号や音声信号等を装置本体１外部から入力し、接続されているエンコーダ部１０３に出力する。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。
【００２６】
エンコーダ部１０３は、ＡＶ入力端子１０１から入力された映像信号や音声信号をエンコードして圧縮し、記録データとして、データプロセッサ１０４ｃに出力する。
【００２７】
また、エンコーダ部１０３は、チューナ１０２から入力されたテレビ放送信号から映像信号、音声信号を分離する。そして、エンコーダ部１０３は、映像信号や音声信号をエンコードして圧縮し、記録データとして、データプロセッサ１０４ｃに出力する。
【００２８】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００２９】
ＭＰＵ１０５には、タイマーマイコン１０９が接続されている。
タイマーマイコン１０９は、HD付きＤＶＤレコーダ１の時間管理に利用されるタイマー回路（時計ユニット）１０９ａを有している。タイマーマイコン１０９には、ユーザからの操作（指示）を受け付けるユーザ操作入力部１１０が接続されている。
【００３０】
また、ＭＰＵ１０５には、装置１本体の動作状態を表示する表示部１０８と、制御プログラム等を記憶するメモリ１１１と、この制御プログラム等を展開するワークフィールドとしてのRAM１１２と、が接続されている。
メモリ１１１は、例えばROM、EEPROM等の半導体メモリである。
上記制御プログラムは、複数のルーチンを同時並行で処理するマルチタスク機能を有している。
【００３１】
ＭＰＵ１０５は、レジスタ１０５aを内蔵する。
ＭＰＵ１０５は、メモリ１１１に記憶されている制御プログラムに従い、光ディスクＤに対するデータの記録、再生及び削除と、ユーザ操作入力部１１０を介して入力された録画操作に対応する録画動作と、表示部１０８を用いた表示動作と、等を制御する。
【００３２】
また、ＭＰＵ１０５は、光ディスクドライブ１０４ａ又はＨＤＤ１０４ｄから光ディスクＤ又はハードディスクの管理情報を取得する。これにより、ＭＰＵ１０５は、光ディスクDおよびＨＤＤ１０４ｄが内蔵するHDのデータ量および空き容量を監視する。
【００３３】
ユーザ操作入力部１１０は、録画キー、再生キー、録画又は再生を停止する停止キー、及びその他の操作キーを有しており、これらのキー操作に応じた制御信号をＭＰＵ１０５に伝送する。ユーザは、これらのキー操作により、録画、および再生等が可能である。
また、ユーザ操作入力部１１０は、図示しないリモコン（リモートコントロール端末）から送信された制御信号を受け入れるデータ受信部１１０aを有する。
【００３４】
表示部１０８は、例えばモニターである。
【００３５】
なお、ＨＤ付きＤＶＤレコーダ１の電源が入っている電源オン状態又はスタンバイ状態で、放送番組の録画開始が可能である。スタンバイ状態では、タイマーマイコン１０９、ＭＰＵ１０５、RAM１１２、及びメモリ１１１のみに電源が供給されている。さらに、後述の図３のｓ２１において実行されるバックアップ警告モード中、スタンバイ状態では、表示部１０８にも電源が供給される。
【００３６】
ここで、タイマーマイコン１０９、表示部１０８及びＭＰＵ１０５が、本発明の「報知手段」に相当する。また、光ディスクドライブ１０４ａが、本発明の「記憶手段」に相当する。
【００３７】
図２は、本発明の第一の実施形態であるHD付きＤＶＤレコーダのＭＰＵが行う動作を示すフローチャートである。
この動作は、ＭＰＵ１０５が行う再生又は記録等のフロントエンド側の処理と別に、電源オン状態の際にバックエンド側で所定時間おきに常時実行している動作である。所定時間は、例えば１分、１０分、１時間である。この動作は、例えば電源オン状態への移行がトリガとなって実行される。また、図２で示されているバックアップ報知ルーチンは、上記制御プログラムに関連するルーチンであり、例えば電源オン状態への移行により、制御プログラムからコールされる。
【００３８】
まず、ＭＰＵ１０５は、HDD１０４ｄが故障しやすい状況にあるか否かを取得する（ｓ１）。具体的には、ＭＰＵ１０５は、HDD１０４ｄが故障発生を予測したか否かの確認信号をＨＤＤ１０４ｄに送信する。該確認信号を受信すると、ＨＤＤ１０４ｄは、S.M.A.R.T.機能を有するので、その結果を返信する。つまり、ＨＤＤ１０４ｄは、その結果として、警告信号又は正常信号を返信する。ここで、警告信号は、HDD１０４ｄが故障発生を予測した旨の信号である。逆に、正常信号は、HDD１０４ｄが正常であることを示す旨の信号である。
次に、ＭＰＵ１０５は、HDD１０４ｄが故障しやすい状況にあるか否かを判断する（ｓ２）。この判断は、ｓ１で取得した警告信号又は正常信号から判断する。
【００３９】
HDD１０４ｄが故障しやすい状況にないと判断すれば、つまり正常信号を受信すると、ＭＰＵ１０５は、本処理を終了する。
【００４０】
一方、HDD１０４ｄが故障しやすい状況にあると判断すれば、つまり警告信号を受信すると、ＭＰＵ１０５は、HDD１０４ｄに記録されているデータのバックアップを促す表示を表示部１０８に行わせ（ｓ３）、本処理を終了する。この表示は、例えば「HDDが故障しやすい状況にあります。即、HDDに記録されているデータのバックアップをする必要があります。」である。このメッセージは、メモリ１１１に予め記憶させておくと良い。表示部１０８に画像メモリを設けて、該画像メモリに予め記憶させても構わない。
【００４１】
この表示を見ることで、情報技術に疎いユーザであっても、HDD１０４ｄに記録されているTV番組等のデータのバックアップを行なう必要があることを理解することができる。
以上より、HDD１０４ｄに記録されているデータが永久に失われることを防止することができるという効果を奏する。
なお、ｓ３において、ＭＰＵ１０５は、HDD１０４ｄの交換を促す表示を表示部１０８に行なわせても良い。
【００４２】
以下、本発明の第ニの実施形態であるHD付きＤＶＤレコーダについて説明する。
【００４３】
本発明の第ニの実施形態であるHD付きＤＶＤレコーダにおける構成は、上記本発明の第一の実施形態であるHD付きＤＶＤレコーダと同様である。
【００４４】
図３は、本発明の第ニの実施形態であるHD付きＤＶＤレコーダのＭＰＵが行う動作を示すフローチャートである。この動作は、図２におけるｓ３の動作の後にｓ１１〜２１を加えた動作であり、その他の処理（ｓ１〜３）については同じである。
【００４５】
ｓ３の処理の後、ＭＰＵ１０５は、タイマーをタイマーマイコン１０９にスタートさせる（ｓ１１）。このタイマーは、後述のｓ１３の判断において使用される。
【００４６】
ＭＰＵ１０５は、バックアップのための操作がユーザ操作入力部１１０において行われたか否かを判断する（ｓ１２）。
【００４７】
バックアップのための操作がユーザ操作入力部１１０において行われたと判断すると、ＭＰＵ１０５は、本処理を終了する。
【００４８】
一方、バックアップのための操作がユーザ操作入力部１１０において行われていないと判断すると、ＭＰＵ１０５は、一定時間が経過したか否かを判断する（ｓ１３）。この判断は、タイマーマイコン１０９を確認することにより行われる。一定時間は、警告信号受信後からHDD１０４ｄが後どれくらいで故障するかの観点から予め定めれば良く、例えば１０分、１時間、１日である。一定時間は、ユーザ操作入力部１１０において予め設定できるようにしておくと良い。
【００４９】
一定時間が経過していないと判断すると、ＭＰＵ１０５は、ｓ１２に戻り処理を継続する。一定時間を大きい値に設定するのであれば、ｓ１２とｓ１３との間に、ＭＰＵ１０５の待ち時間の処理を挿入しても良い。
【００５０】
一定時間が経過したと判断すると、ＭＰＵ１０５は、ｓ３のバックアップを促す表示を表示部１０８に消去させる（ｓ１４）。ｓ１４の趣旨は、後述のｓ１８において強制的にバックアップを実行するので、ｓ３のバックアップを促す表示が必要なくなるためである。
【００５１】
ＭＰＵ１０５は、HDに記録されているデータ量をHDD１０４ｄに確認させる（ｓ１５）。
【００５２】
ＭＰＵ１０５は、光ディスクDの空き容量を光ディスクドライブ１０４aに確認させる（ｓ１６）。
【００５３】
ＭＰＵ１０５は、HDD１０４ｄに記録されているデータを光ディスクDでバックアップ可能か判断する（ｓ１７）。この判断は、ｓ１５で確認させたデータ量と光ディスクDの空き容量とを比較することにより行なわれる。光ディスクDの空き容量がデータ量より多ければバックアップ可能と判断する。この際、HDD１０４ｄに記録されているデータを圧縮して光ディスクDに記録することも考慮して、光ディスクDでバックアップ可能か判断する。
また、光ディスクDにデータが何も記録されていない場合のみ、バックアップ可能と判断させても良い。光ディスクDに何らかのデータが記録されている場合、ユーザが追記を希望しない場合もあるためである。
以上より、光ディスクDの空き容量を考慮してバックアップできるという効果を奏する。
なお、光ディスクDが予めマウントされていることを前提に説明しているが、マウントされていない場合、ｓ１７の判断は、判断否定とする。
【００５４】
ｓ１７において、バックアップ可能であると判断すると、ＭＰＵ１０５は、光ディスクドライブ１０４aに指示し、HDD１０４ｄに記録されているデータを光ディスクDへ記録（移動又はコピー）させる（ｓ１８）。つまり、ｓ１８では、バックアップを強制的に自動実行する。
これにより、HDD１０４ｄに記録されているデータが永久に失われることを一層防止することができるという効果を奏する。
【００５５】
そして、ＭＰＵ１０５は、バックアップが終了するのを待って（ｓ１９）、バックアップを実行した旨の表示を表示部１０８に行わせ（ｓ２０）、本処理を終了する。
これにより、ユーザは、バックアップが強制的に実行されたことを把握することができるという効果を奏する。
【００５６】
一方、ｓ１７において、バックアップ不可能であると判断すると、ＭＰＵ１０５は、バックアップ警告モードを実行し（ｓ２１）、本処理を終了する。バックアップ警告モードとは、電源オン状態及びスタンバイ状態において、バックアップのための操作がユーザ操作入力部１１０において行われるまで、バックアップを促す表示を表示部１０８に行なわせるモードである。
電源オン状態及びスタンバイ状態においてバックアップを促す表示がされるので、情報技術に疎いユーザであっても、HDD１０４ｄに記録されているデータのバックアップを行なう必要があることを理解することができる。
【図面の簡単な説明】
【００５７】
【図１】本発明の第一の実施形態であるHD付きＤＶＤレコーダの構成を示すブロック図
【図２】本発明の第一の実施形態であるHD付きＤＶＤレコーダのＭＰＵが行う動作を示すフローチャート
【図３】本発明の第ニの実施形態であるHD付きＤＶＤレコーダのＭＰＵが行う動作を示すフローチャート
【符号の説明】
【００５８】
１−ＨＤ付きＤＶＤレコーダ
１０１−映像信号入力端子
１０２−ＴＶチューナ
１０３−エンコーダ部
１０４−記録再生部
１０４a−光ディスクドライブ
１０４ｃ−データプロセッサ
１０４ｄ−ＨＤＤ
１０５−マイクロプロセッサユニット
１０５a−レジスタ
１０６−デコーダ部
１０７−映像出力端子
１０８−表示部
１０９−タイマーマイコン
１０９ａ−タイマー回路（時計ユニット）
１１０−ユーザ操作入力部
１１０ａ−データ受信部
１１１−メモリ
１１２−RAM
【図１】
2007213670.tif 000003
【図２】
2007213670.tif 000004
【図３】
2007213670.tif 000005